(57)【要約】【課題】  冷陰極管を容易に交換することができ、製品の運送時において冷陰極管が破損しにくく、好ましい放熱効果と照明効率を具える冷陰極管照明具を提供する。【解決手段】  一端が交流電流入力端であって他端が出力端である電子式安定器と、一端が電源接続端であって他端がランプ接続端であり、該ランプ接続端にランプの電極が接続する接栓座が形成され、かつ該接栓座と該電子式安定器の該出力端とが電気的に接続し、該電子安定器を内設するハウジングと、一端が該電子式安定器の交流電流入力端にそれぞれ接続し、他端が該ハウジングの電源接続端から外方向にそれぞれ突起する一対の電極ピンと、によってランプ安定器モジュールを構成するとともに、光透過性か、もしくは光半透過性の材質によってなるランプハウジングと、該ランプハウジング内に設ける少なくと１以上の冷陰極管と、２本の電極ピンを具え、該ランプハウジングの両端にそれぞれ設けられる接続端部とによってランプモジュールを構成する。【選択図】図２
0003166555.tif 000002
【実用新案登録請求の範囲】
【請求項１】
一端が交流電流入力端であって、他端が出力端である電子式安定器と、
一端が電源接続端であって、他端がランプ接続端であって、該ランプ接続端にランプの電極が接続する接栓座が形成され、かつ該接栓座と該電子式安定器の該出力端とが電気的に接続し、該電子安定器を内設するハウジングと、
一端が該電子式安定器の交流電流入力端にそれぞれ接続し、他端が該ハウジングの電源接続端から外方向にそれぞれ突起する一対の電極ピンと、を具えることを特徴とするランプ安定器モジュール。
【請求項２】
光透過性か、もしくは光半透過性の材質によってなるランプハウジングと、
該ランプハウジング内に設ける少なくとも１以上の冷陰極管と
２本の電極ピンを具え、該ランプハウジングの両端にそれぞれ設けられる接続端部とによってなり、
該ランプハウジングの接続端に請求項１のランプ安定器モジュールが接続することを特徴とするランプモジュール。
【請求項３】
前記ランプ安定器モジュールを接続した長さが、蛍光灯の標準仕様に適合することを特徴とする請求項２に記載のランプモジュール。
【請求項４】
前記冷陰極管がＵ字型の冷陰極管であることを特徴とする請求項２に記載のランプモジュール。
【請求項５】
前記冷陰極管が２本のＵ字型冷陰極管であって、かつ該２本のＵ字型冷陰極管が部分的に重なり合うか、もしくは全体的に重なり合うように設けることを特徴とする請求項２に記載のランプモジュール。
【請求項６】
前記U字型の冷陰極管が、２本の棒状陰極管の一端を導体で連結して並列に接続し、Ｕ字型を呈した冷陰極管であることを特徴とする請求項４に記載のランプモジュール。  
【請求項７】
前記U字型の冷陰極管が、２本の棒状陰極管の一端を導体で連結して並列に接続し、Ｕ字型を呈した冷陰極管であることを特徴とする請求項５に記載のランプモジュール。
【請求項８】
前記ランプハウジングの両端にそれぞれ設けられる該接続端部のいずれにも請求項１のランプ安定器モジュールが接続し、かつ該ランプ安定器モジュールを接続した長さが、蛍光灯の標準仕様に適合することを特徴とする請求項２に記載のランプモジュール。
【請求項９】
前記ランプハウジング内に少なくとも１以上の支持部材を具え、該支持部材によって該陰極管を支持することを特徴とする請求項２乃至請求項８のいずれかに記載のランプモジュール。
【請求項１０】
前記支持部材に、該陰極管の直径より広い直径の支持孔を該冷陰極管の数と同数穿設することを特長とする請求項９に記載のランプモジュール。
【請求項１１】
前記ランプハウジング内に、コの字状、もしくはｍ字状を呈し、一方の面が該陰極管からの光線を集中して反射する反射面である反射体を、該冷陰極管に近い位置に設けることを特徴とする請求項２乃至請求項８のいずれかに記載のランプモジュール。
【請求項１２】
光透過性か、もしくは光半透過性の材質によってなるランプハウジングと、
該ランプハウジング内に設ける少なくと１以上の冷陰極管と
２本の電極ピンを具え、該ランプハウジングの両端にそれぞれ設けられる接続端部と、
コの字状、もしくはｍ字状を呈し、該ランプハウジング内の該冷陰極管に近い位置に設けられ、一方の面が該冷陰極管からの光線を集中して反射する反射面である反射体と、によってなり、
該ランプハウジングの両端にそれぞれ設けられる該接続端部に請求項１のランプ安定器モジュールが、それぞれ接続することを特徴とするランプモジュール。
【請求項１３】
前記冷陰極管がＵ字型の冷陰極管であることを特徴とする請求項１２に記載のランプモジュール。
【請求項１４】
前記冷陰極管が２本のＵ字型冷陰極管であって、かつ該２本のＵ字型冷陰極管が部分的に重なり合うか、もしくは全体的に重なり合うように設けることを特徴とする請求項１２に記載のランプモジュール。
【請求項１５】
前記U字型の冷陰極管が、２本の棒状陰極管の一端を導体で連結して並列に接続し、Ｕ字型を呈した冷陰極管であることを特徴とする請求項１３に記載のランプモジュール。
【請求項１６】
前記U字型の冷陰極管が、２本の棒状陰極管の一端を導体で連結して並列に接続し、Ｕ字型を呈した冷陰極管であることを特徴とする請求項１４に記載のランプモジュール。
【請求項１７】
前記ランプハウジング内の該反射体に近接した位置に少なくとも１以上の支持部材を具え、該支持部材によって該陰極管を支持することを特徴とする請求項１２乃至請求項１６のいずれかに記載のランプモジュール。
【請求項１８】
前記支持部材に、該陰極管の直径より広い直径の支持孔を該冷陰極管の数と同数穿設することを特長とする請求項１７に記載のランプモジュール。
【考案の詳細な説明】
【技術分野】
【０００１】
この考案は照明具に関し、特に冷陰極ランプの安定器モジュール、及びそのランプモジュールに関する。
【背景技術】
【０００２】
従来の冷陰極管を用いた照明具を、図１に開示する。図面によれば、ランプ３は中空の管本体４と、管本体４内に設けられ、対向する両端部に固定される導電部材５と、管本体４内に設けられ、かついずれかの一端の導電部材５に電気的に接続する安定器６と、両端がそれぞれ導電部材５と安定器６とに電気的に接続する複数の冷陰極管  
７(Cold Cathode Fluorescent Lamp，略称CCFL)とを含んでなる。
【０００３】
上述する従来の構造は、安定器６が管本体４内に設けられるため、安定器６、もしくは複数の冷陰極管７の任意の一本が損壊した場合、ランプ３そのものを交換しなければならず、資源の浪費になる。
【０００４】
また、冷陰極管７と、安定器６とをランプ３内に設ける構造は、放熱問題を解決することができない。熱効果によって、寿命の長さに影響を与える。
【０００５】
また、ランプ３内に反射層が設けられていないため、冷陰極管７から照射される一部の光線を完全に反射して一方の照射面から照射することができない。このため照明度に影響を与える。
【０００６】
さらに、２本の冷陰極管７を完全に平行にして設けることができないため、製品を運送する過程において容易に破損する。
【０００７】
したがって、上述する従来の構造に見られる欠点を克服する新規な冷陰極管を用いた照明具の構造が、斯業において、望まれている。
【考案の概要】
【考案が解決しようとする課題】
【０００８】
この考案は、冷陰極管を容易に交換することができ、修理、保守のコストを低減できるとともに、製品の運送時において冷陰極管が破損しにくい冷陰極管照明具を提供することを課題とする。
【０００９】
また、この考案は、好ましい放熱効果を有する冷陰極管照明具を提供することを課題とする。
【００１０】
さらに、この考案は好ましい照明効率を具える冷陰極管照明具を提供することを課題とする。
【課題を解決するための手段】
【００１１】
そこで本考案者は従来の技術に鑑み鋭意研究を重ねた結果、ランプと、安定器とをモジュール化してなる冷陰極管照明具によって課題を解決できる点に着眼し、かかる知見に基づいて本考案を完成させた。
【００１２】
以下、この考案について説明する。
請求項１に記載するランプ安定器モジュールは、一端が交流電流入力端であって、他端が出力端である電子式安定器と、
一端が電源接続端であって、他端がランプ接続端であって、該ランプ接続端にランプの電極が接続する接栓座が形成され、かつ該接栓座と該電子式安定器の該出力端とが電気的に接続し、該電子安定器を内設するハウジングと、
一端が該電子式安定器の交流電流入力端にそれぞれ接続し、他端が該ハウジングの電源接続端から外方向にそれぞれ突起する一対の電極ピンと、を具える。
【００１３】
請求項２に記載するランプモジュールは、光透過性か、もしくは光半透過性の材質によってなるランプハウジングと、
該ランプハウジング内に設ける少なくとも１以上の冷陰極管と
２本の電極ピンを具え、該ランプハウジングの両端にそれぞれ設けられる接続端部とによってなり、
該ランプハウジングの接続端に請求項１のランプ安定器モジュールが接続する。
【００１４】
請求項３に記載するランプモジュールは、請求項２におけるランプ安定器モジュールを接続した長さが、蛍光灯の標準仕様に適合する。
【００１５】
請求項４に記載するランプモジュールは、請求項２における冷陰極管がＵ字型の冷陰極管である。
【００１６】
請求項５に記載するランプモジュールは、請求項２における冷陰極管が２本のＵ字型冷陰極管であって、かつ該２本のＵ字型冷陰極管が部分的に重なり合うか、もしくは全体的に重なり合うように設ける。
【００１７】
請求項６に記載するランプモジュールは、請求項４におけるU字型の冷陰極管が、２本の棒状陰極管の一端を導体で連結して並列に接続し、Ｕ字型を呈した冷陰極管である。  
【００１８】
請求項７に記載するランプモジュールは、請求項５におけるU字型の冷陰極管が、２本の棒状陰極管の一端を導体で連結して並列に接続し、Ｕ字型を呈した冷陰極管である。
【００１９】
請求項８に記載するランプモジュールは、請求項２におけるランプハウジングの両端にそれぞれ設けられる該接続端部のいずれにも請求項１のランプ安定器モジュールが接続し、かつ該ランプ安定器モジュールを接続した長さが、蛍光灯の標準仕様に適合する。
【００２０】
請求項９に記載するランプモジュールは、請求項２乃至請求８のいずれかにおけるランプハウジング内に少なくとも１以上の支持部材を具え、該支持部材によって該陰極管を支持する。
【００２１】
請求項１０に記載するランプモジュールは、請求項９における支持部材に、該陰極管の直径より広い直径の支持孔を該冷陰極管の数と同数穿設する。
【００２２】
請求項１１に記載するランプモジュールは、請求項２乃至請求８のいずれかにおけるランプハウジング内に、コの字状、もしくはｍ字状を呈し、一方の面が該陰極管からの光線を集中して反射する反射面である反射体を、該冷陰極管に近い位置に設ける。
【００２３】
請求項１２に記載するランプモジュールは、光透過性か、もしくは光半透過性の材質によってなるランプハウジングと、
該ランプハウジング内に設ける少なくと１以上の冷陰極管と
２本の電極ピンを具え、該ランプハウジングの両端にそれぞれ設けられる接続端部と、
コの字状、もしくはｍ字状を呈し、該ランプハウジング内の該冷陰極管に近い位置に設けられ、一方の面が該冷陰極管からの光線を集中して反射する反射面である反射体と、によってなり、該ランプハウジングの両端にそれぞれ設けられる該接続端部に請求項１のランプ安定器モジュールが、それぞれ接続する。
【００２４】
請求項１３に記載するランプモジュールは、請求項１２における冷陰極管がＵ字型の冷陰極管である。
【００２５】
請求項１４に記載するランプモジュールは、請求項１２における冷陰極管が２本のＵ字型冷陰極管であって、かつ該２本のＵ字型冷陰極管が部分的に重なり合うか、もしくは全体的に重なり合うように設ける。
【００２６】
請求項１５に記載するランプモジュールは、請求項１３におけるU字型の冷陰極管が、２本の棒状陰極管の一端を導体で連結して並列に接続し、Ｕ字型を呈した冷陰極管である。
【００２７】
請求項１６に記載するランプモジュールは、請求項１４におけるU字型の冷陰極管が、２本の棒状陰極管の一端を導体で連結して並列に接続し、Ｕ字型を呈した冷陰極管である。
【００２８】
請求項１７に記載するランプモジュールは、請求項１２乃至請求１６のいずれかにおけるランプハウジング内の該反射体に近接した位置に少なくとも１以上の支持部材を具え、該支持部材によって該陰極管を支持する。
【００２９】
請求項１８に記載するランプモジュールは、請求項１７おける支持部材に、該陰極管の直径より広い直径の支持孔を該冷陰極管の数と同数穿設する。
【考案を実施するための形態】
【００３０】
図２に、第１の実施の形態によるランプ安定器モジュール１０、及びそのランプモジュール２０を開示する。ランプ安定器モジュール１０は、電子式安定器１１を具え、電子式安定器１１の一端は交流電流入力端であって、他端はランプ安定器モジュール２０のランプ電極ピン３２１に電気的に接続する。
【００３１】
また、ハウジング１２を具え、ハウジング１２は電子式安定器１１を内設する。その一端を電源接続端３１とし、他端をランプ接続端４０とする。電源接続端３１には、一端が電子式安定器１１の交流電流入力端に接続し、他端はハウジング１２の電源接続端３１から突起する一対の電極ピン３１１を設ける。
【００３２】
ランプ接続端４０には、接栓座４１を設ける。接栓座４１は、孔部を形成し、金属製の導電体を設け、電子式安定器１１の出力端に電気的に接続し、かつランプモジュール２０の電極ピン３１１が接栓座４１に、弾性的に、かつ電気的に接続する。
【００３３】
ランプモジュール２０は、ランプハウジング２４と、少なくとも１以上の冷陰極管２１とによってなる。一端には２本のランプ電極ピン３２１を設ける。冷陰極管２１はランプハウジング２１内に設ける。
【００３４】
ランプモジュール２０に安定器モジュール１０を接続した長さは、蛍光灯の標準仕様に適合する長さとする（周知のＴ９、Ｔ８、Ｔ５などの蛍光灯の長さ）。
【００３５】
ランプモジュール２０を運送する場合に、冷陰極管２１が容易に破損するという問題を解決するために、ランプハウジング２４に支持部材２３を設ける。支持部材２３には支持孔２３１を穿設する。支持部材２３は、ランプハウジング２４に別途設ける反射体１４の反射面１４１の形状に合わせた形状にする。支持孔２３１は、冷陰極管２１の数と同数形成し、その直径は、冷陰極管２１がちょうど貫通できる広さとする。
【００３６】
支持フレーム２３は、従来の技術に見られる冷陰極管２１を平行に設けられないという問題を解決する。
【００３７】
ランプモジュール２０の照明効率を高めるために、ランプモジュール２０には、さらに反射体１４を設ける。反射体１４は、図６Ａ、７Ａに開示するように、反射面１４１を具える。反射面１４１は冷陰極管２１に近接した位置にあるが、但し冷陰極管２１に接触しない。
【００３８】
また、反射面１４１はプレス加工、もしくは押出し加工、射出成型などで一体に形成し、その形状がほぼコの字状か、もしくはｍ字状を呈し、図６Ｂ、７Ｂに開示するように取り付ける。
【００３９】
ランプハウジング２４は、光透過性か、もしくは光半透過性の材質によってなり、押出し加工などで一体に成型する。また、ランプハウジング２４と、ランプハウジング２４の接続端部３２との接続箇所には密封剤を用い、接合強度をためるとともに、湿気の進入を確実に阻むようにする。
【００４０】
図３に、この考案による他の形態を開示する。図面によれば、冷陰極管２１は２本の棒状のものを採用してU字状のものの代替とする。その一端は導体４２に電気的に接続する。第２の実施の形態の技術は図２に開示する技術とほぼ同様である。但し、冷陰極管２１は、図示するように他の形態のものに交換してもよい。
【００４１】
第２の実施の形態におけるランプモジュール２０は、安定器モジュール１０と組み合わせた後の長さは周知のＴ９、Ｔ８、Ｔ５などの蛍光灯の長さに等しい。よって、照明具の標準仕様に合わせることができ、金型に必要とされる経費を大幅に節約することができる。
【００４２】
図４にその他実施の形態を開示する。図面によれば、二つの安定器モジュール１０をランプモジュール２０の左右両端に設けて構成する。安定器モジュール１０の技術は、図２開示する技術と同様であるので、ここでは詳細な説明を省く。
【００４３】
ランプモジュール２０は、ランプハウジング２４と、ランプハウジング２４の両端に設ける接続端部３２と、２本のU字型の冷陰極管２１とによってなる。
【００４４】
接続端部３２にはランプ電極ピン３２１を２本設ける。２本のU字型の冷陰極管２１はランプハウジング２４内に設ける。
【００４５】
ランプモジュール２０の両端には、それぞれランプ安定器モジュール１０を接続し、
全体の長さを周知の照明具の標準仕様に適合させる（Ｔ９、Ｔ８、Ｔ５などの蛍光灯の長さに等しくする）。
【００４６】
ランプモジュール２０を運送する場合に、冷陰極管２１が容易に破損するという問題を解決するために、ランプハウジング２４に支持部材２３を設ける。支持部材２３には支持孔２３１を穿設する。支持部材２３は、ランプハウジング２４に別途設ける反射体１４の反射面１４１の形状に合わせた形状にする。支持孔２３１は、冷陰極管２１の数と同数形成し、その直径は、冷陰極管２１がちょうど貫通できる広さとする。
【００４７】
支持フレーム２３は、従来Ｍの技術に見られる冷陰極管２１を平行に設けられないという問題を解決する。
【００４８】
ランプモジュール２０の照明効率を高めるために、ランプモジュール２０には、さらに反射体１４を設ける。反射体１４は、図６Ａ、７Ａに開示するように、反射面１４１を具える。反射面１４１は冷陰極管２１に近接した位置にあるが、但し冷陰極管２１に接触しない。
【００４９】
また、反射面１４１はプレス加工、もしくは押出し加工、射出成型などで一体に形成し、その形状がほぼコの字状か、もしくはｍ字状を呈し、図６Ｂ、７Ｂに開示するように取り付ける。
【００５０】
ランプハウジング２４は、光透過性か、もしくは光半透過性の材質によってなり、押出し加工などで一体に成型する。また、ランプハウジング２４と、ランプハウジング２４の接続端部３２との接続箇所には密封剤を用い、接合強度をためるとともに、湿気の進入を確実に阻むようにする。
【００５１】
２本のU字型の冷陰極管２１は、ランプハウジング２４の長さに応じて、部分的に重ね合わすか、もしくは全体的に重ね合わす形態（図示しない）であってもよい。
【００５２】
図５に、この考案の別の実施の形態を開示する、図面によれば、図４に開示するU字型の冷陰極管２１に替わって、２本の棒状冷陰極管２１を用いる。冷陰極管２１の一端は導体４２と電気的に接続する。図４によれば、２本のU字型の冷陰極管２１を有するため、２本１セットで２セットの棒状冷陰極管２１を必要とする。その一端は導体４２に電気的に接続する。
【００５３】
２本のU字型の冷陰極管２１に替わって、用いる冷陰極管２１は、その他形式のものであってもよい。２本の冷陰極管２１は、ランプの長さに合わせて一部を重ねるか、もしくは全ての部分を重ねてもよい。
【００５４】
この実施の形態におけるランプモジュール２０は、安定器モジュール１０と接続した長さは周知のＴ９、Ｔ８、Ｔ５などの蛍光灯の長さに等しくなる。
【図面の簡単な説明】
【００５５】
【図１】従来の技術による照明具の構造を示した説明図である。
【図２】この考案によるランプ安定器モジュール、及びそのランプモジュールの構造を示した説明図である。
【図３】他の実施の形態によるランプ安定器モジュール、及びそのランプモジュールの構造を示した説明図である。
【図４】その他の形態によるランプ安定器モジュール、及びそのランプモジュールの構造を示した説明図である。
【図５】別の形態によるランプ安定器モジュール、及びそのランプモジュールの構造を示した説明図である。
【図６Ａ】この考案によるランプモジュールの断面構造を示した説明図である。
【図６Ｂ】この考案における冷陰極管の支持構造を示した説明図である。
【図７Ａ】他の実施形態におけるランプモジュールの構造を示した説明図である。
【図７Ｂ】他の実施形態における冷陰極管の支持構造を示した説明図である。
【符号の説明】
【００５６】
１０        ランプ安定器モジュール
１１        電子式安定器
１２        ハウジング
１４        反射体
１４１      反射面
２０        ランプモジュール
２１        冷陰極管
２３        支持部材
２４        ランプハウジング
３          ランプ
３１１      電極ピン
３２        接続端部
３２１      ランプ電極ピン
４          管本体
４０        ランプ接続端
４１        接栓座
４２        導体
５          導電部材
６          安定器
７          冷陰極ランプ
【図１】
0003166555.tif 000003
【図２】
0003166555.tif 000004
【図３】
0003166555.tif 000005
【図４】
0003166555.tif 000006
【図５】
0003166555.tif 000007
【図６Ａ】
0003166555.tif 000008
【図６Ｂ】
0003166555.tif 000009
【図７Ａ】
0003166555.tif 000010
【図７Ｂ】
0003166555.tif 000011